(57)【要約】セルラー通信ネットワークにおいて、ユーザ装置は、識別された隣接セルの品質と参照セルの品質との比較に基づいて、新規隣接セルを識別する強度（又は測定アクティビティ）を調整できる。適切に選択された隣接セル（アクティブセット又は候補セットに属するセル）からのダウンリンク受信信号レベル（例えば、ＣＰＩＣＨ  Ｅｃ／Ｎｏ又は／及びＳＣＨ  Ｅｃ／Ｎｏ）が、一定の閾値の分だけ参照（例えば、サービング）セルを下回っていない場合には、この強度を低くする。一方、前記選択された隣接セルからのダウンリンク受信信号レベル（例えば、ＣＰＩＣＨ  Ｅｃ／Ｎｏ又は／及びＳＣＨ  Ｅｃ／Ｎｏ）が、一定の閾値の分だけ参照セルを下回っている場合には、ＵＥは高い強度で新規セルを識別する。【選択図】  図２
2010541436.tif 000002
【特許請求の範囲】
【請求項１】
セルラー通信システムのユーザ装置において、新規隣接セルを識別する方法であって、
識別されたセルの品質レベルとサービングセルの品質レベルとを比較するステップと、
前記比較に基づいて、新規セル検出アクティビティを設定するステップと、
を有する方法。
【請求項２】
識別されたセルの品質レベルとサービングセルの品質レベルとを比較する前記ステップは、
前記識別されたセルの選択されたセルからのダウンリンク受信信号の品質が、前記サービングセルを閾値の分だけ下回るかどうか判断するステップを含み、
前記識別されたセルの選択されたセルからのダウンリンク受信信号の品質が、前記サービングセルを閾値の分だけ下回っていない場合、新規セル検出アクティビティを第１の強度に設定し、前記識別されたセルの選択されたセルからのダウンリンク受信信号の品質が、前記サービングセルを閾値の分だけ下回っている場合は、新規セル検出アクティビティを第２の強度に設定し、前記第２の強度は前記第１の強度よりも高い、請求項１に記載の方法。
【請求項３】
前記品質レベルが、希望波受信電力（ＲＳＣＰ）に基づいて評価される、請求項１又は２に記載の方法。
【請求項４】
前記品質レベルが、ＣＰＩＣＨ  Ｅｃ／Ｎｏに基づいて評価される、請求項１又は２に記載の方法。
【請求項５】
前記品質レベルが、参照シンボル受信電力（ＲＳＲＰ）に基づいて評価される、請求項１又は２に記載の方法。
【請求項６】
前記品質レベルが、参照シンボル受信品質（ＲＳＲＱ）に基づいて評価される、請求項１又は２に記載の方法。
【請求項７】
前記品質レベルが、ＳＣＨ信号対雑音干渉比（ＳＩＮＲ）に基づいて評価される、請求項１又は２に記載の方法。
【請求項８】
前記品質レベルが、ＳＣＨ  Ｅｃ／Ｎｏに基づいて評価される、請求項１又は２に記載の方法。
【請求項９】
前記品質レベルが、ビットエラー率に基づいて評価される、請求項１又は２に記載の方法。
【請求項１０】
前記品質レベルが、受信信号強度に基づいて評価される、請求項１又は２に記載の方法。
【請求項１１】
前記品質レベルが、測定値の組み合わせに基づいて評価される、前記請求項のいずれかに記載の方法。
【請求項１２】
前記閾値が、前記セルラー通信システムからの信号送信時に前記ユーザ装置によって受信される、請求項２に記載の方法。
【請求項１３】
前記閾値が、前記ユーザ装置によって保存される、請求項２に記載の方法。
【請求項１４】
識別されたセルの品質レベルとサービングセルの品質レベルとを比較する前記ステップは、前記識別されたセルのうち１セルの品質レベルと前記サービングセルの品質レベルとを比較するステップを含み、前記１セルは、前記識別されたセルの所定数のセルのうち最も品質の低いセルである、前記請求項のいずれかに記載の方法。
【請求項１５】
前記所定数は、前記セルラー通信システムからの信号送信時に前記ユーザ装置によって受信される、請求項１４に記載の方法。
【請求項１６】
前記所定数は、前記ユーザ装置によって保存される、請求項１４に記載の方法。
【請求項１７】
セルラー通信システム方法用のユーザ装置であって、
識別されたセルの品質レベルとサービングセルの品質レベルとを比較し、
前記比較に基づいて、新規セル検出アクティビティを設定することにより、
新規隣接セルを識別するように構成されたユーザ装置。
【請求項１８】
識別されたセルの品質レベルとサービングセルの品質レベルとを比較する前記ステップは、
前記識別されたセルの選択されたセルからのダウンリンク受信信号の品質が、前記サービングセルを、閾値の分だけ下回るかどうか判断するステップを含み、
前記識別されたセルの選択されたセルからのダウンリンク受信信号の品質が、前記サービングセルを閾値の分だけ下回っていない場合、新規セル検出アクティビティを第１の強度に設定し、前記識別されたセルの選択されたセルからのダウンリンク受信信号の品質が、前記サービングセルを閾値の分だけ下回っている場合は、新規セル検出アクティビティを第２の強度に設定し、前記第２の強度は前記第１の強度よりも高い、請求項１７に記載のユーザ装置。
【請求項１９】
前記品質レベルが、希望波受信電力（ＲＳＣＰ）に基づいて評価される、請求項１７又は１８に記載のユーザ装置。
【請求項２０】
前記品質レベルが、Ｅｃ／Ｎｏに基づいて評価される、請求項１７又は１８に記載のユーザ装置。
【請求項２１】
前記品質レベルが、参照シンボル受信電力（ＲＳＲＰ）に基づいて評価される、請求項１７又は１８に記載のユーザ装置。
【請求項２２】
前記品質レベルが、参照シンボル受信品質（ＲＳＲＱ）に基づいて評価される、請求項１７又は１８に記載のユーザ装置。
【請求項２３】
前記品質レベルが、ＳＣＨ信号対雑音干渉比（ＳＩＮＲ）に基づいて評価される、請求項１７又は１８に記載のユーザ装置。
【請求項２４】
前記品質レベルが、ＳＣＨ  Ｅｃ／Ｎｏに基づいて評価される、請求項１７又は１８に記載のユーザ装置。
【請求項２５】
前記品質レベルが、ビットエラー率に基づいて評価される、請求項１７又は１８に記載のユーザ装置。
【請求項２６】
前記品質レベルが、受信信号強度に基づいて評価される、請求項１７又は１８に記載のユーザ装置。
【請求項２７】
前記品質レベルが、測定値の組み合わせに基づいて評価される、請求項１７〜２６のいずれかに記載のユーザ装置。
【請求項２８】
前記閾値が、前記セルラー通信システムからの信号送信時に前記ユーザ装置によって受信される、請求項１８に記載のユーザ装置。
【請求項２９】
前記閾値が、前記ユーザ装置によって保存される、請求項１８に記載のユーザ装置。
【請求項３０】
識別されたセルの品質レベルとサービングセルの品質レベルとを比較する前記ステップは、前記識別されたセルのうち１セルの品質レベルと前記サービングセルの品質レベルとを比較するステップを含み、前記１セルは、前記識別されたセルの所定数のセルのうち最も品質の低いセルである、請求項１７〜２９のいずれかに記載のユーザ装置。
【請求項３１】
前記所定数は、前記セルラー通信システムからの信号送信時に前記ユーザ装置によって受信される、請求項３０に記載のユーザ装置。
【請求項３２】
前記所定数は、前記ユーザ装置によって保存される、請求項３０に記載のユーザ装置。
【請求項３３】
参照セルの品質レベルと識別されたセルの品質レベルとの比較のために、閾値をユーザ装置に送信するよう構成されたネットワークノード。
【請求項３４】
前記比較のために、識別されたセルの数をユーザ装置に送信するようさらに構成された、請求項３３に記載のネットワークノード。
【発明の詳細な説明】
【技術分野】
【０００１】
本発明は、移動通信システムにおける方法及び構成に関するものであり、特に隣接セルの識別アクティビティに関する。
【背景技術】
【０００２】
広帯域符号分割多元接続（ＷＣＤＭＡ）ネットワーク及び次世代ユニバーサル地上無線アクセスネットワーク（Ｅ−ＵＴＲＡＮ）において、セルの再選択やハンドオーバを伴う移動性判断は、ユーザ装置（ＵＥ）によって実行される新規セルの探索及び識別されたセルのダウンリンク測定値に大きく依存している。このため、ＵＥは良好なＵＥの移動性能を確保するために、ダウンリンク測定品質の点で一定数のベストセルを測定し追跡する必要がある。
【０００３】
アクティブモードのＷＣＤＭＡでは、ＵＥは少なくとも８００ミリ秒で、新規の同一周波数セルを検出（又は識別）する必要がある。さらに、ＵＥはＴＳ２５．１３３［１］に規定されている最低性能要件を満たしながら、少なくとも８つのセル（１つのサービングセルと７つの隣接セル）のダウンリンク品質（即ち、ＣＰＩＣＨ測定値）を測定し報告できなければならない。
【０００４】
Ｅ−ＵＴＲＡＮでは、ＷＣＤＭＡで使用されるものに倣って同様の測定性能要件が規定されるものと思われる［２］。
【０００５】
移動シナリオ
基本的に次の２種類の移動シナリオがある。
アイドルモードモビリティ：  セル再選択
接続モードモビリティ：  ハンドオーバ
【０００６】
セル再選択は、主にサービングセルを介さないＵＥの自律的機能である。ただし、この移動シナリオでのＵＥの動作は、ブロードキャストされるいくつかのシステムパラメータと性能仕様によってある程度まで制御可能である。
【０００７】
一方ハンドオーバは、明示的なＵＥ特定コマンドを使用したネットワークや性能仕様により完全に制御される。
【０００８】
課題の説明に関連して詳しく述べるように、移動性判断はアイドルモードと接続モードのどちらの場合も主に同種のダウンリンク測定値に基づいて行われる。
【０００９】
ＷＣＤＭＡとＥ−ＵＴＲＡＮは、いずれも周波数リユース１（frequency reuse-1）のシステムである。このことは地理的に最も近い隣接セル同士が、同一の搬送周波数上で動作することを意味する。オペレータは同じサービスエリア内で、複数の周波数層を使用してもよいことから、ＷＣＤＭＡ及びＥ−ＵＴＲＡＮのいずれのアイドルモード及び接続モードモビリティも、次の３つの主要カテゴリに大きく分類できる。
同一周波数内でのモビリティ（アイドルモード及び接続モード）：  ＵＥが同一の搬送周波数に属するセル間で移動する。これは遅延について低コストであることから最も重要な移動シナリオである。さらに、オペレータは効率的に活用したい自由に使える搬送波を少なくとも１つ有する。
異なる周波数間でのモビリティ（アイドルモード及び接続モード）：  異なる搬送波周波数に属しているがアクセス技術が同一のセル間で、ＵＥが移動する。この移動シナリオは、次に重要なシナリオとみなすことができる。
異なる無線アクセス技術間のモビリティ（アイドルモード及び接続モード）：  ＵＥがＷＣＤＭＡ及びＧＳＭ間又はその逆などの異なるアクセス技術に属しているセルの間を移動する。
【００１０】
モビリティに関連したＵＥ測定の態様
ＷＣＤＭＡ又はＥ−ＵＴＲＡＮでの良好な移動性能を保証するために、ＵＥは次の２つの主要タスクを実行する。
新規セルの識別、すなわち未知のセルに完全に同期して識別すること。
ある一定の最低数の識別セル（例えば、ＷＣＤＭＡ［３］のＣＰＩＣＨ  Ｅｃ／Ｎｏ及びＲＳＣＰ、Ｅ−ＵＴＲＡＮのＲＳＲＰ及びＲＳＲＱ）から、いくつかのプロット又は基準信号チャネルでダウンリンク測定を定期的に行い測定値を報告する。
【００１１】
良好な移動性能を確実に実現するために、上記測定タスクに関する要件が規定されている。仕様の範囲に含まれるＷＣＤＭＡでは、ＵＥが少なくとも上記の要件を確実に満たすように以下の内容が規定されている。アクティブモードの重要な要件の一部には以下のようなものが含まれている［１］。
対応する同期及びＣＰＩＣＨ信号の所定の受信レベルに対する未知のセルの識別遅延。遅延の上限は、連続受信モードの（即ち、ＤＲＸを使用しない）同一周波数セルの場合、最大８００ミリ秒である。
ＵＥが指定された測定絶対精度及び相対精度でＣＰＩＣＨ測定値を報告する必要最低数の識別セル（１つのサービングセルと７つの隣接セルを含む８つのセル）。
少なくとも８つのセルの指定測定精度が満たされる２００ミリ秒の測定時間。
【００１２】
Ｅ−ＵＴＲＡＮに対しても同様の要件が規定される。
【００１３】
ＵＥにおけるセル識別処理
この要件数の識別セルのダウンリンク測定値をネットワークに報告するためには、ＵＥは現在のセルや古いセルよりも良好な新規セルを定期的に探す（言い換えれば、識別する）必要がある。セル検知、セル探索、セル識別などの用語は同じ意味を持ち、未知のセルに完全に同期（即ち、セルタイミング、セル識別子等を検出）できるＵＥの性能を示している。識別対象のセルは、ネットワークからＵＥに提供される隣接セルリストに載っていてもいなくてもよい。
【００１４】
このように標準化された最低要件を満たすために、また変化する無線状況により、ＵＥは定期的に隣接セルを識別し測定しなければならない。このような測定処理のスケジューリングについては標準化されておらず、ＵＥの実装時固有のものである。ハードウェアコストを制限し、かつバッテリー切れを防ぐために、ＵＥは、通常ある一定の定期的な間隔で別の種類の測定値の測定サンプルを収集する。
【００１５】
アイドルモードでは、ＵＥは主に、ページングオケージョン時（即ち、ＤＲＸサイクルの終端でのウェイクアップ時）に測定を行う。したがって、アイドルモードでの測定サンプリングレートは接続モードに比べてかなり低くなる。このような理由により、アイドルモードでの測定性能は接続モードで得られるものよりもはるかに低くなる。
【００１６】
アクティブモードにおける不連続受信（ＤＲＸ）がセル識別に与える影響
ＷＣＤＭＡリリース７では、接続モード（より詳しくは、ＣＥＬＬ＿ＤＣＨ状態）の不連続受信（ＤＲＸ）と呼ばれる新機能が規定されている［５］。これにより、ＵＥがＤＲＸサイクルにしたがって定時のみウェイクアップすることから、ＵＥは接続された状態のまま、バッテリーを節約できる。リリース７では、最長ＤＲＸサイクルは４０ミリ秒である。
【００１７】
一般にこのＤＲＸ機能では、ＵＥがウェイクアップ時に、又は少なくとも連続受信の場合よりも少ない頻度で、主として測定サンプルを収集する。したがって、リリース７のＤＲＸモードでは測定要件が緩和されたものとなっている［１］。ＤＲＸを４０ミリ秒、ＵＥのアクティビティレベルを５％とした場合、ＤＲＸ（リリース７）における同一周波数セルの識別は、最悪のケースで最高６秒かかることもある［１］。したがって、アクティブモードのＤＲＸは、一般に移動性能、特にセル識別性能に対して、ある程度の悪影響を及ぼす可能性がある。しかし一方で、６秒の遅れは、遅延に対する許容度がより高いパケットデータサービスにとっては、なお許容範囲内である。このことから、わずか最大１０％のユーザにしか影響を及ぼさないことが分かる。これは、大抵の場合単一又は複数のセルが新規に識別されたセルと入れ替わるアクティブセット更新が、６秒よりも長くかかるためである。しかしながら、リアルタイムサービスには一層良好な性能が望ましい。
【００１８】
ＷＣＤＭＡの新規サービス及び今後の拡張機能の導入には、ＤＲＸオプションが一層必要になるものと思われる。ところが最新の技術方式に基づく現行の要件は、移動性能の目標を満たすうえでは不適切なものになることが予想される（即ち、コールドロッピング(call dropping)レートが低下する）。
【００１９】
Ｅ−ＵＴＲＡＮでは、アクティブモードのＤＲＸにより、ネットワークが最大２．５６秒のＤＲＸサイクルを使用する。このため現行の方法を用いた場合、セル識別時間も不必要に長くなる恐れがある。
【００２０】
従来のソリューションに関する問題点
ＤＲＸシナリオでのセル識別
ＤＲＸモードにおいて、ＵＥがアクティブタイム中だけ新規セルを識別する場合、特に、対象セルが、受信品質（例えば、ＣＰＩＣＨ  Ｅｃ／Ｎｏ及び／又はＳＣＨ  Ｅｃ／Ｎｏ）の点で劣っている場合は、遅延が明らかに長くなる。
【００２１】
一方、ＤＲＸモードで常時識別する場合、ＵＥは連続受信モードで得られたものと同様のセル識別性能を提供することになり、ＵＥのバッテリーが消耗する。このためＤＲＸ機能を有していても何の利点もなくなる。
【００２２】
低い測定性能やセル識別遅延の著しい増加は、アクティブセット更新の遅延を招く。この遅延が、今度はハンドオーバの実行がＵＥの測定報告に依存する基地局でのハンドオーバ決定の遅延も招くことになる。このためアクティブモードでは、不必要なコールドロッピングを防ぐために、このような測定に関する性能劣化を最小限度に抑えなければならない。
【００２３】
アクティブモードでＤＲＸを使用した場合のセル識別の性能劣化を最小限度に抑えるためにいくつもの最新のソリューションが提案されている。その一部を以下に説明する。
【００２４】
高いＳＣＨ及びＣＰＩＣＨ受信レベルによるセルの識別
現在同意されているソリューションに、セルの同期チャネル（ＳＣＨ）及び共通パイロットチャネル（ＣＰＩＣＨ）の最低受信レベルが著しく高い（例えば非ＤＲＸの場合に比べて３ｄＢ高い）場合には、ＤＲＸ状態のＵＥが測定を行ってセルを識別するものがある。セルの強度が相対的に高いことからセルの識別が平均して相対的に速くなる。
【００２５】
絶対閾値に基づくセル識別遅延の調整
ネットワークは、ＵＥに対しＣＰＩＣＨ  Ｅｃ／Ｉｏ又はＣＰＩＣＨ  ＲＳＣＰレベルでの絶対閾値と測定アクティビティ係数を提供する。後者のパラメータを用いて、アクティブセットのうち最も強いモニタセルのＣＰＩＣＨ  Ｅｃ／Ｉｏ及び／又はＣＰＩＣＨ  ＲＳＣＰ受信レベルに応じて、測定アクティビティ（例えば、セル識別時間、測定時間）を増減させる。
【００２６】
サービングセルからの受信ＣＰＩＣＨ  Ｅｃ／Ｉｏ及び／又はＣＰＩＣＨ  ＲＳＣＰが送信された閾値を上回っていれば、ＵＥは測定アクティビティ係数にしたがって、新規の同一周波数セルを識別する必要がある。通常その結果、送信されたアクティビティ係数次第ではセル識別遅延が増加する。一方、条件が満たされない場合、即ちサービングセルの品質が低い（Ｅｃ／Ｎｏ及び／又はＲＳＣＰ閾値を下回る）場合、ＵＥは、連続受信の場合に指定されるものと同程度の遅延（即ち、８００ミリ秒の最悪ケースの遅延）で新規セルを識別する［１］。
【００２７】
この場合難点が一つあり、例えば、アクティブセットに比較的良好なセルがあるような測定する必要がない場合でも、ＵＥが頻繁に測定しなければならない。このため実際には、ＵＥがＤＲＸ長の非アクティブ時間中にウェイクアップしなくてはならない。これによりＵＥのバッテリーが消耗し、ＤＲＸ動作の利点が得られなくなる。
【００２８】
セル境界領域での連続モード（非ＤＲＸ）への切り換え
ＷＣＤＭＡ仕様［５］では、アクティブモードのネットワークが、ＵＥに対し低レベルのシグナリングによりＤＲＸモードと非ＤＲＸモード間で切り換えを行うよう迅速に指示できる。このため測定処理の迅速化を図るうえで考えられるソリューションとして、ＵＥがセル境界領域に入った時点で、非ＤＲＸモード（又は非常に短いＤＲＸサイクル）に戻る方法がある。ネットワークは、ＵＥが報告したダウンリンクチャネル品質（例えば、ＣＰＩＣＨレベル）と、ある一定の閾値とを比較することにより、ＵＥがセル境界領域内にあるかどうかを判断できる。通常、２５〜３５％のユーザはセル境界領域内で操作している。したがってその時点の平均約６５〜７５％だけ、ＵＥはかろうじてＤＲＸ状態を維持できる。ＵＥが完全にはＤＲＸを活用できないことから、この方法はＵＥのバッテリー節約の観点から、望ましいとは言えない。
【発明の概要】
【発明が解決しようとする課題】
【００２９】
上述した従来技術によるソリューションの主要な限界は、このようなソリューションがサービングセルと対象セル／隣接セルとの相対的な性能の差を考慮していない点にある。この差は移動性能において、特に新規セルの識別頻度において、重要な要素である。
【００３０】
本発明の目的は、サービングセルと、対象セル／隣接セルとの相対的な性能の差を考慮に入れた方法を提供することにある。
【００３１】
概して、適切に選択された隣接セル（アクティブセット又は候補セットに属するセル）からのダウンリンク受信信号レベル（例えば、ＣＰＩＣＨ  Ｅｃ／Ｎｏ又は／及びＳＣＨ  Ｅｃ／Ｎｏ）が、一定の閾値の分だけサービングセルを下回っていなければ、ＵＥは、新規セルを相対的に低い強度（又は測定アクティビティ）で識別する。一方、前記選択された隣接セルからのダウンリンク受信信号レベル（例えば、ＣＰＩＣＨ  Ｅｃ／Ｎｏ又は／及びＳＣＨ  Ｅｃ／Ｎｏ）が、一定の閾値の分だけサービングセルを下回っていれば、ＵＥは新規セルをより高い強度で識別する。
【００３２】
本発明の一態様によれば、少なくともＮ番目に強い隣接セル（アクティブセット又は候補セットに属するセル）からのダウンリンク受信信号レベル（例えば、ＣＰＩＣＨ  Ｅｃ／Ｎｏ又は／及びＳＣＨ  Ｅｃ／Ｎｏ）が、一定の閾値の分だけサービングセルを下回っていなければ、ＵＥは新規セルを相対的に低い強度（又は測定アクティビティ）で識別する。一方、少なくともＮ番目に強い隣接セル（対象セル、又は、アクティブセット又は候補セットに属するセル）からのダウンリンク受信信号レベル（例えば、ＣＰＩＣＨ  Ｅｃ／Ｎｏ又は／及びＳＣＨ  Ｅｃ／Ｎｏ）が、一定の閾値の分だけサービングセルを下回っていれば、ＵＥは新規セルをより高い強度で識別する。
【００３３】
別の態様によれば、アクティブセット又は候補セットの最も弱い隣接セルからのダウンリンク受信信号レベル（例えば、ＣＰＩＣＨ  Ｅｃ／Ｎｏ又は／及びＳＣＨ  Ｅｃ／Ｎｏ）が、一定の閾値の分だけサービングセルを下回っていなければ、ＵＥは、新規セルを相対的に低い強度（又は測定アクティビティ）で識別する。一方、アクティブセット又は候補セットに属する最も弱いセルからのダウンリンク受信信号レベル（例えば、ＣＰＩＣＨ  Ｅｃ／Ｎｏ又は／及びＳＣＨ  Ｅｃ／Ｎｏ）が、一定の閾値の分だけサービングセルを下回っていれば、ＵＥは新規セルをより高い強度で識別する。
【００３４】
前記サービングセルは最も強いセルでなくてもよい。したがって他の一連の態様において、セル識別又は検出性能は、最も強いセルとＮ番目に強い対象セル又は隣接セルとの受信レベル（例えば、ＣＰＩＣＨ  Ｅｃ／Ｎｏ又は／及びＳＣＨ  Ｅｃ／Ｎｏ）の差によって決まる。
【図面の簡単な説明】
【００３５】
【図１】本発明によるセルラー通信ネットワークを示す。
【図２】本発明の一態様による第１の方法を示すフローチャートである。
【発明を実施するための形態】
【００３６】
図１は、本発明により動作するセルラー通信ネットワークを概略的に示している。
【００３７】
前記ネットワークのサービスエリアは、セル１０、１２、１４、１６、１８、２０、２２等に分割されている。ユーザ装置（ＵＥ）２４は、セル１２内に位置し、同セル内の基地局（ｅＮｏｄｅ  Ｂ）２６と通信を行うことから、このセルはＵＥのサービングセルに当たる。周知のようにＵＥは潜在的な隣接セルを識別するために、他のセルから受信した信号を測定しなければならない。主にＬＴＥ（長期的進化）（Ｅ−ＵＴＲＡＮ）ネットワークを参照しながら本発明について本明細書に説明するが、本発明は他の多くのネットワークに適用可能なことは言うまでもない。
【００３８】
図２は、本発明による第１の方法を示すフローチャートである。
【００３９】
ステップ５０にて、ＵＥは前記方法で使用する閾値を検出する。ステップ５２にて、ＵＥは、参照セルについて得られた品質測定値と、他の既に識別された一定数のセルについて得られた品質測定値とを比較する。ステップ５４で比較基準を満たしていると判断された場合、処理はステップ５６に進み、セル検出アクティビティ又は強度のレベルを上げる。一方、ステップ５４で比較基準を満たしていないと判断された場合は、ステップ５８に進み、セル検出アクティビティ又は強度のレベルを下げる。
【００４０】
本発明の一実施例によれば、新規セルのセル検出アクティビティ又は強度は、識別されたセルの品質レベルとサービングセルの品質レベルとを比較した後に、ＵＥによって判断される。このため一実施例において、ネットワークは、ＵＥが共通パイロットチャネル（ＣＰＩＣＨ）Ｅｃ／Ｎｏや同期チャネル（ＳＣＨ）Ｅｃ／Ｎｏなどのダウンリンク受信レベルに関してセルの比較に使用できる、少なくとも１つの相対閾値を送信する。前記閾値は、前記仕様で標準化されている固定値であってもよい。
【００４１】
さらに前記ネットワークは、パラメータ「Ｎ」、即ち、受信レベルを参照セルの受信レベルと比較する必要のある最も強いセルの数を送信できる。好適な実施例において、この参照セルは、サービングセルである。別の実施例では、前記比較をベストセルに対して行う。閾値の場合と同様に、この数字（Ｎ）は標準化された値であってもよい。
【００４２】
新規セルの検出アクティビティは、サービングセルと対象セルとの測定品質の差が相対閾値よりも大きいか小さいかによって異なる。
【００４３】
セルの検出アクティビティ又は強度が低いと、ＵＥは大抵の場合、不連続受信（ＤＲＸ）のウェイクアップ時間中、又は、連続受信の場合に必要とされるよりもかなり長い時間にわたって、新規セルを検出することになる。
【００４４】
一方、セル検出強度が高いと、ＵＥは連続的にセルを識別するか、ＤＲＸサイクルが非常に短くなる。その結果、連続受信の場合に得られるものと似たようなセル検出性能（即ち、セル検出遅延）となる。
【００４５】
以下にさらに説明するように、使用する相対閾値レベルの数次第では中間のセル検出強度もあり得る。
【００４６】
相対閾値を定義する基準（セル比較基準）
相対閾値は、ＵＥがセルの比較を行うのにどの測定品質を使用すればよいかを決める。言い換えれば、相対閾値によって比較基準が決まる。例えば、前記閾値は以下のパラメータのうちの１つ又は複数で表すことができる。
隣接セル測定レベル：  ＷＣＤＭＡの希望波受信電力（ＲＳＣＰ）及び／又はＥｃ／Ｎｏや、Ｅ−ＵＴＲＡＮの参照シンボル受信電力（ＲＳＲＰ）及び／又は参照シンボル受信品質（ＲＳＲＱ）などがある。
ＳＣＨ受信レベル：  例えば、ＳＣＨ信号対雑音干渉比（ＳＩＮＲ）、ＳＣＨ  Ｅｃ／Ｎｏ、ＢＥＲ、受信信号強度などがある。
周知のパイロットシンボル又は参照シンボルの受信信号レベル
アクティブセット又は候補セットの既存セルのセル識別遅延履歴
【００４７】
ＷＣＤＭＡでは、セル検出強度を決めるための好適な相対閾値は、相対ＣＰＩＣＨ  Ｅｃ／Ｎｏ及び／又はＳＣＨ  Ｅｃ／Ｎｏレベルで表現される。これはセル識別要件が、所定のＳＣＨ及びＣＰＩＣＨ受信レベルに対して指定されているからである。
【００４８】
この他に、前記比較が、前述した単数又は複数の判定基準によって行われる場合も考えられる。
【００４９】
さらに、前記相対閾値は単一レベルや複数レベル（Ｍ）であってもよい。前者の方法では、ネットワークが判定基準ごとに閾値を１つだけ送信する。その結果、２つのセル検出アクティビティレベル（標準又は高及び低）が得られる。後者の方法では、ネットワークが判定基準ごとに複数の相対閾値を送信することができ、これにより、ＵＥは、複数のセル検出アクティビティレベル（即ち、Ｍ閾値に対して、Ｍ＋１）を取得しなければならない。
【００５０】
簡略化のため、閾値に対して単一のレベルが好ましく、大抵の場合単一レベルが適切である。
【００５１】
ネットワークは、ＵＥが相対閾値に基づいてセルを比較しなければならない頻度（例えば、比較周期）を指定することもできる。この指定にはパラメータを送信してもよく、あるいは例えば、フレーム数、ＤＲＸサイクル数、又は、固定期間により指定することもできる。
【００５２】
相対閾値と比較対象となるＮ個のセルのシグナリングメカニズム
前記閾値と他の関連パラメータ（例えば、セルを比較する周期や、比較対象となるアクティブセット又は候補セットのセルの数Ｎ）は、無線リソース制御（ＲＲＣ）やより高い層のシグナリングにより最新の方法で送信することができる。前記閾値は、放送チャネルを通じてすべてのＵＥに送信したり、ＵＥの特定制御チャネルを通じて特定のＵＥに送信することができる。さらに、アイドルモード及びアクティブモードでは、同一の判定基準に対して異なる閾値を使用することもできる。
【００５３】
ＷＣＤＭＡでは、無線ネットワーク制御装置（ＲＮＣ）にＲＲＣがあることから、ＲＮＣはこのような閾値のシグナリングを制御する。Ｅ−ＵＴＲＡＮでは、基地局（又は、Ｅ−ＵＴＲＡＮ用語で、ｅＮｏｄｅ  Ｂ）によって前記閾値が送信される。
【００５４】
比較のための参照セル
特定の対象セルのＵＥ新規セル検出アクティビティは、対象セルと参照セルとの相対的な性能の差に基づくものであり、大きく分けて次の２つが考えられる。
サービングセルとの比較
ベストセルとの比較
【００５５】
参照セルがサービングセルとなる実施例において、ＵＥは相対閾値を定義するための判定基準に関する項で説明した単数又は複数の判定基準により、対象セルとサービングセルとを常に比較する。この比較に基づいて、ＵＥは高い強度で新規セルを検出するか低い強度で検出するかを決める。
【００５６】
例えば、パイロット信号品質（Ｅ−ＵＴＲＡＮのＲＳＲＱ、又はＷＣＤＭＡのＣＰＩＣＨ  Ｅｃ／Ｎｏ）とＳＣＨ受信レベル（例えば、Ｅ−ＵＴＲＡＮのＳＣＨ  ＳＩＮＲ、又は、ＷＣＤＭＡのＳＣＨ  Ｅｃ／Ｎｏ）の両方を使用して、新規セルの検出アクティビティ又は強度レベルを判断するものとする。さらに、ＲＳＲＱ（又は、ＣＰＩＣＨ  Ｅｃ／Ｎｏ）とＳＣＨ  ＳＩＮＲ（又は、ＳＣＨ  Ｅｃ／Ｎｏ）に対して、それぞれ単一レベルのみの相対閾値、即ち、αとβがあるものとする。
【００５７】
次に、Ｎ個のベストセル又は最も強いセル（即ち、ＷＣＤＭＡのＳＣＨ  Ｅｃ／Ｎｏ及び／又はＣＰＩＣＨ  Ｅｃ／Ｎｏに関して）とサービングセルＳとの測定品質の差のうち一方又は両方が、対応する閾値を下回っていれば、ＵＥによる新規セルの識別頻度は低くなる（その結果、セル識別遅延が悪化して増加する）。これにより、以下の関係が成り立つ。
ＩＦ
（ＱＮ−ＱＳ≦α）ＯＰＥＲＡＴＯＲ（ＰＮ−ＰＳ≦β）
ＴＨＥＮ
より低いアクティビティ又は低い強度で、新規セルを識別する。
ＥＬＳＥ
より高い、又は通常の強度で、新規セルを識別する。
ただし、
Ｑ＝Ｅ−ＵＴＲＡＮのＲＳＲＱ、及び、ＷＣＤＭＡのＣＰＩＣＨ  Ｅｃ／Ｎｏ
Ｐ＝Ｅ−ＵＴＲＡＮのＳＣＨ  ＳＩＮＲ、及び、ＷＣＤＭＡのＳＣＨ  Ｅｃ／Ｎｏ
【００５８】
一実施例において、Ｅ−ＵＴＲＡＮとＷＣＤＭＡのいずれの場合も、ＯＰＥＲＡＴＯＲをＡＮＤに設定する。あるいは、Ｅ−ＵＴＲＡＮとＷＣＤＭＡのいずれの場合も、ＯＰＥＲＡＴＯＲをＯＲに設定する。
【００５９】
別の実施例では、ＵＥが測定品質（Ｑ又はＰ）の片方のみを前記アルゴリズムに使用して、対象セルの測定アクティビティレベルを決定してもよい。
【００６０】
一実施例では、ＱＮとＰＮが、アクティブセット又は候補セットのＮ個の隣接するベストセルのうち最も弱いセルから受信した各信号レベルを表している。上述したように、Ｎの値はＵＥに送信できる。Ｎの値を変化させることにより、全体的な検出アクティビティを変更できる。あるいは、Ｎの値をＵＥに保存することが可能である。
【００６１】
別の実施例では、同様にＱＮとＰＮは、アクティブセット又は候補セットの最も弱いセルから受信した各信号レベルを表している。
【００６２】
参照セルがベストセルである実施例において、ＵＥは常に、対象セル又は隣接セルとベストセルとを比較しているが、このベストセルは必ずしもサービングセルでなくてもよい。
【００６３】
前述した通り、ＵＥは相対閾値を定義する基準に関連した項で説明した判定基準のうちの１つ又は複数の基準を使用する。この比較に基づいて、ＵＥは高い強度で新規セルを検出するか低い強度で検出するかを決める。しかしながら、この方法では対象セルに関して十分な情報が得られない場合がある（例えば、最も強いセルにリソースがない場合）。
【００６４】
例えば、パイロット信号品質（Ｅ−ＵＴＲＡＮのＲＳＲＱ、又は、ＷＣＤＭＡのＣＰＩＣＨ  Ｅｃ／Ｎｏ）とＳＣＨ受信レベル（例えば、Ｅ−ＵＴＲＡＮのＳＣＨ  ＳＩＮＲ、又は、ＷＣＤＭＡのＳＣＨ  Ｅｃ／Ｎｏ）の両方を使用して、新規セルの検出アクティビティ又は強度レベルを判断するものとする。さらに、ＲＳＲＱ（又は、ＣＰＩＣＨ  Ｅｃ／Ｎｏ）とＳＣＨ  ＳＩＮＲ（又は、ＳＣＨ  Ｅｃ／Ｎｏ）に対して、それぞれ単一レベルのみの相対閾値、即ち、αとβがあるものとする。
【００６５】
次に、Ｎ個のベストセル又は最も強いセル（即ち、ＷＣＤＭＡのＳＣＨ  Ｅｃ／Ｎｏ及び／又はＣＰＩＣＨ  Ｅｃ／Ｎｏに関して）とベストセルＢとの測定品質の差のうち一方又は両方が、対応する閾値を下回っていればＵＥによる新規セルの識別頻度は低くなる（その結果、セル識別遅延が悪化して増加する）。
ＩＦ
（ＱＮ−ＱＢ≦α）ＯＰＥＲＡＴＯＲ（ＰＮ−ＰＢ≦β）
ＴＨＥＮ
より低いアクティビティ又は低い強度で、新規セルを識別する。
ＥＬＳＥ
より高い、又は通常の強度で、新規セルを識別する。
記号：  Ｑ、Ｐ、及びＯＰＥＲＡＴＯＲは、前述したものと同様の意味を持つ。
【００６６】
一実施例では、ＱＫとＰＫが、アクティブセット又は候補セットのＮ個の隣接するベストセルのうち最も弱いセルから受信した各信号レベルを表している。
【００６７】
別の実施例では、同様にＱＫとＰＫが、アクティブセット又は候補セットの最も弱いセルから受信した各信号レベルを表している。
【００６８】
相対閾値に基づく適応セルの検出と相対閾値に基づく測定アクティビティとの併用
図３に、本発明によるさらに別の方法を示すフローチャートを示している。
【００６９】
ステップ７０では、対象セルが識別される。ステップ７２では、対象セルの品質と参照セルの品質とを比較する。この比較の結果に基づいて、ステップ７４では対象セルの測定アクティビティを調整できる。
【００７０】
このため、サービング／ベストセルとこの対象セルとの間の相対閾値に基づいて、識別された対象セルの測定アクティビティ又は強度レベルを調整することが可能である。
【００７１】
ここで注意したいのは、第一に、セル検出に用いる相対閾値と他のパラメータは同じものでなくてもよい点である。第二に、本発明による相対閾値に基づく適応測定アクティビティの発想と、相対閾値に基づく適応セル検出アクティビティの概念は、同時に使用した場合だけでなく独立して効果を発揮することも可能である。
【００７２】
本発明により次の利点が得られる。
ＤＲＸモードでは、必要な場合に限り、即ちアクティブセット又は候補セット内に比較的弱いセルが含まれている場合に限り、ＵＥが新規セルを高速に探索する。
ネットワークは、測定性能を低下させずに必要数の対象セルをすべて追跡できる。
ＵＥは、ＤＲＸを最大限に活用しながらバッテリーをできる限り節約できる。
適度に良好なセルの変更又はハンドオーバ性能を維持できる。
【００７３】
参照
［１］  ３ＧＰＰ  ＴＳ２５．１３３、「無線リソース管理に関する要件（ＦＤＤ）」
［２］  ３ＧＰＰ  ＴＳ３６．８０１、「次世代ユニバーサル地上無線アクセス（Ｅ−ＵＴＲＡ）：  測定要件」
［３］  ３ＧＰＰ  ＴＳ２５．２１５、「物理レイヤーの測定方法（ＦＤＤ）」
［４］  ３ＧＰＰ  ＴＳ３６．２１４、「次世代ユニバーサル地上無線アクセス（Ｅ−ＵＴＲＡ）：  物理レイヤーの測定方法」
［５］  ３ＧＰＰ  ＴＳ２５．２１４、「物理レイヤーの手順（ＦＤＤ）」
［６］  ＲＰ−０７０６７９、「ＦＤＤ用拡張ＵＥ−ＤＲＸ」、ノキア、ノキア・シーメンス・ネットワークス、クアルコム、ＬＧエレクトロニクス、フィリップス、ＮＸＰ
［７］  ３ＧＰＰ  Ｒ４−０７１２４２、「ＣＰＣダウンリンクＤＲＸ動作中の測定について」、マーベル、ＲＡＮ４＃４４会議
【図１】
2010541436.tif 000003
【図２】
2010541436.tif 000004
【図３】
2010541436.tif 000005
【手続補正書】
【提出日】平成21年8月5日(2009.8.5)
【手続補正１】
【補正対象書類名】特許請求の範囲
【補正対象項目名】全文
【補正方法】変更
【補正の内容】
【特許請求の範囲】
【請求項１】
セルラー通信システムのユーザ装置において、新規隣接セルを検出する方法であって、前記方法は、
識別された隣接セルの品質レベルとサービングセルの品質レベルとを比較するステップと、
前記比較に基づいて、セル検出アクティビティの新規強度を設定するステップを含み、
識別された隣接セルの品質レベルとサービングセルの品質レベルとを比較する前記ステップが、
前記識別された隣接セルの選択されたセルからのダウンリンク受信信号の品質が、前記サービングセルを閾値の分だけ下回るかどうか判断するステップを含み、
前記識別された隣接セルの選択されたセルからのダウンリンク受信信号の品質が、前記サービングセルを閾値の分だけ下回っていない場合、新規セル検出アクティビティを第１の強度に設定し、前記識別された隣接セルの選択されたセルからのダウンリンク受信信号の品質が、前記サービングセルを閾値の分だけ下回っている場合は、新規セル検出アクティビティを第２の強度に設定し、前記第２の強度は前記第１の強度よりも高い方法。
【請求項２】
前記品質レベルが、希望波受信電力（ＲＳＣＰ）に基づいて評価される、請求項１に記載の方法。
【請求項３】
前記品質レベルが、ＣＰＩＣＨ  Ｅｃ／Ｎｏに基づいて評価される、請求項１に記載の方法。
【請求項４】
前記品質レベルが、参照シンボル受信電力（ＲＳＲＰ）に基づいて評価される、請求項１に記載の方法。
【請求項５】
前記品質レベルが、参照シンボル受信品質（ＲＳＲＱ）に基づいて評価される、請求項１に記載の方法。
【請求項６】
前記品質レベルが、ＳＣＨ信号対雑音干渉比（ＳＩＮＲ）に基づいて評価される、請求項１に記載の方法。
【請求項７】
前記品質レベルが、ＳＣＨ  Ｅｃ／Ｎｏに基づいて評価される、請求項１に記載の方法。
【請求項８】
前記品質レベルが、ビットエラー率に基づいて評価される、請求項１に記載の方法。
【請求項９】
前記品質レベルが、受信信号強度に基づいて評価される、請求項１に記載の方法。
【請求項１０】
前記品質レベルが、測定値の組み合わせに基づいて評価される、前記請求項のいずれかに記載の方法。
【請求項１１】
前記閾値が、前記セルラー通信システムからの信号送信時に前記ユーザ装置によって受信される、請求項１に記載の方法。
【請求項１２】
前記閾値が、前記ユーザ装置によって保存される、請求項１に記載の方法。
【請求項１３】
識別された隣接セルの品質レベルとサービングセルの品質レベルとを比較する前記ステップは、前記識別された隣接セルのうち１セルの品質レベルと前記サービングセルの品質レベルとを比較するステップを含み、前記１セルは、前記識別された隣接セルの所定数のセルのうち最も品質の低いセルである、前記請求項のいずれかに記載の方法。
【請求項１４】
前記所定数は、前記セルラー通信システムからの信号送信時に前記ユーザ装置によって受信される、請求項１３に記載の方法。
【請求項１５】
前記所定数は、前記ユーザ装置によって保存される、請求項１３に記載の方法。
【請求項１６】
セルラー通信システム方法用のユーザ装置であって、
識別された隣接セルの品質レベルとサービングセルの品質レベルとを比較し、
前記比較に基づいて、セル検出アクティビティの新規強度を設定することにより、
新規隣接セルを検出するように構成され、
識別された隣接セルの品質レベルとサービングセルの品質レベルとを比較する前記ステップが、
前記識別された隣接セルの選択されたセルからのダウンリンク受信信号の品質が、前記サービングセルを閾値の分だけ下回るかどうか判断するステップを含み、
前記識別された隣接セルの選択されたセルからのダウンリンク受信信号の品質が、前記サービングセルを閾値の分だけ下回っていない場合、新規セル検出アクティビティを第１の強度に設定し、前記識別された隣接セルの選択されたセルからのダウンリンク受信信号の品質が、前記サービングセルを閾値の分だけ下回っている場合は、新規セル検出アクティビティを第２の強度に設定し、前記第２の強度は前記第１の強度よりも高いユーザ装置。
【請求項１７】
前記品質レベルが、希望波受信電力（ＲＳＣＰ）に基づいて評価される、請求項１６に記載のユーザ装置。
【請求項１８】
前記品質レベルが、Ｅｃ／Ｎｏに基づいて評価される、請求項１６に記載のユーザ装置。
【請求項１９】
前記品質レベルが、参照シンボル受信電力（ＲＳＲＰ）に基づいて評価される、請求項１６に記載のユーザ装置。
【請求項２０】
前記品質レベルが、参照シンボル受信品質（ＲＳＲＱ）に基づいて評価される、請求項１６に記載のユーザ装置。
【請求項２１】
前記品質レベルが、ＳＣＨ信号対雑音干渉比（ＳＩＮＲ）に基づいて評価される、請求項１６に記載のユーザ装置。
【請求項２２】
前記品質レベルが、ＳＣＨ  Ｅｃ／Ｎｏに基づいて評価される、請求項１６に記載のユーザ装置。
【請求項２３】
前記品質レベルが、ビットエラー率に基づいて評価される、請求項１６に記載のユーザ装置。
【請求項２４】
前記品質レベルが、受信信号強度に基づいて評価される、請求項１６に記載のユーザ装置。
【請求項２５】
前記品質レベルが、測定値の組み合わせに基づいて評価される、請求項１６〜２４のいずれかに記載のユーザ装置。
【請求項２６】
前記閾値が、前記セルラー通信システムからの信号送信時に前記ユーザ装置によって受信される、請求項１６に記載のユーザ装置。
【請求項２７】
前記閾値が、前記ユーザ装置によって保存される、請求項１６に記載のユーザ装置。
【請求項２８】
識別された隣接セルの品質レベルとサービングセルの品質レベルとを比較する前記ステップは、前記識別された隣接セルのうち１セルの品質レベルと前記サービングセルの品質レベルとを比較するステップを含み、前記１セルは、前記識別された隣接セルの所定数のセルのうち最も品質の低いセルである、請求項１６〜２７のいずれかに記載のユーザ装置。
【請求項２９】
前記所定数は、前記セルラー通信システムからの信号送信時に前記ユーザ装置によって受信される、請求項２８に記載のユーザ装置。
【請求項３０】
前記所定数は、前記ユーザ装置によって保存される、請求項２８に記載のユーザ装置。
【請求項３１】
参照セルの品質レベルと識別された隣接セルの品質レベルとを比較し、前記比較に基づいて、セル検出アクティビティの強度を設定するために、相対閾値をユーザ装置に送信するよう構成されたネットワークノードであって、
前記比較が、
前記識別された隣接セルの選択されたセルからのダウンリンク受信信号の品質が、前記サービングセルを閾値の分だけ下回るかどうか判断するステップを含み、
前記識別された隣接セルの選択されたセルからのダウンリンク受信信号の品質が、前記サービングセルを閾値の分だけ下回っていない場合、新規セル検出アクティビティを第１の強度に設定し、前記識別された隣接セルの選択されたセルからのダウンリンク受信信号の品質が、前記サービングセルを閾値の分だけ下回っている場合は、新規セル検出アクティビティを第２の強度に設定し、前記第２の強度は前記第１の強度よりも高いことを特徴とするネットワークノード。
【請求項３２】
前記比較のために、識別された隣接セルの数をユーザ装置に送信するようさらに構成された、請求項３１に記載のネットワークノード。
【国際調査報告】
2010541436.tif 000006
2010541436.tif 000007
2010541436.tif 000008
2010541436.tif 000009
2010541436.tif 000010